(57)【要約】      （修正有）【課題】表示装置と所望の測定装置とを接続する作業を簡易に実施可能な測定装置および表示装置を提供する。【解決手段】体液中の特定物質の測定結果を表示する表示装置と無線通信を行う。測定装置は、センサと、送信部と、タッチセンサと、を含む。センサは体内に留置される。送信部は、センサを用いて得られた特定物質に係るデータを送信する。タッチセンサは、ユーザのタッチ操作を検出する。送信部は、さらに、タッチセンサがタッチ操作を検出した場合に表示装置宛てに接続要求を送信する。【選択図】図７
2019013749.tif 000002
【特許請求の範囲】
【請求項１】
体液中の特定物質の測定結果を表示する表示装置と無線通信を行う測定装置において、
体内に留置されるセンサと、
前記センサを用いて得られた前記特定物質に係るデータを送信する送信部と、
ユーザのタッチ操作を検出するタッチセンサと、を含み、
前記送信部は、前記タッチセンサが前記タッチ操作を検出した場合に前記表示装置宛てに接続要求を送信する、
ことを特徴とする測定装置。
【請求項２】
測定装置から受信されるデータを用いて体液中の特定物質の測定結果を表示する表示装置において、
無線通信のために接続可能な複数の測定装置を表示する表示部と、
前記複数の測定装置から選択された接続対象の測定装置を示すタッチ操作を検出するタッチセンサと、
前記接続対象の測定装置へ接続要求を送信する処理を行う制御部と、
を含む表示装置。
【請求項３】
前記表示装置は記憶部を更に備え、
前記制御部は、前記接続対象の測定装置との接続が確立した場合に、前記接続対象の測定装置から受信されるデータの補正用データを送信する検出装置と前記接続対象の測定装置とを関連付けて前記記憶部に記憶する処理を行う、
請求項２に記載の表示装置。
【請求項４】
測定装置から受信されるデータを用いて体液中の特定物質の測定結果を表示する表示装置において、
記憶部と、
前記測定装置から受信した第１接続要求に応じて前記測定装置との接続を確立する制御部と、を含み、
前記制御部は、前記測定装置との接続が確立した場合に、体内に薬剤を投与する投与装置から受信した第２接続要求に応じて、前記測定装置と前記投与装置とを関連付けて前記記憶部に記憶させる処理を行う、
表示装置。
【請求項５】
前記制御部は、前記測定装置との接続が確立した場合に、前記測定装置と前記測定装置から受信されるデータの補正用データの送信元装置とを関連付けて前記記憶部に記憶させる処理を行う、
請求項４に記載の表示装置。
【発明の詳細な説明】
【技術分野】
【０００１】
本発明は、測定装置および表示装置に関する。
【背景技術】
【０００２】
１つの表示装置に複数の測定装置を接続可能な測定システムがある。各測定装置は、被測定者の体内に留置されるセンサを含み、このセンサを用いて体内の特定物質を連続的に測定する。測定結果は適宜のタイミングで表示装置へ送信される。表示装置は、各測定装置から受信した測定結果を表示する（例えば、非特許文献１参照）。
【先行技術文献】
【非特許文献】
【０００３】
【非特許文献１】「Freestyle Libre Proカタログ」、日本、アボットジャパン株式会社、２０１７年３月８日
【発明の概要】
【発明が解決しようとする課題】
【０００４】
従来技術において、各測定装置から表示装置への測定結果の送信は、近距離無線通信（Near Field radio Communication、ＮＦＣ）が利用される。ＮＦＣによれば、測定装置と表示装置とを接近または接触させることで、測定装置から表示装置への測定結果が送信される。しかしながら、測定装置は被測定者の体内に留置されるセンサを含むので、例えば、被測定者が就寝中である場合など、測定装置を表示装置に接近させることが困難なため、測定結果をリアルタイムに得ることが困難な場合があった。
【０００５】
また、複数の測定装置間で１つの表示装置を共有するため、測定結果の取り違えが起こる場合があった。取り違えは、例えば、測定結果の送信元の測定装置を誤認識することで起こる場合があった。
【０００６】
本発明は、表示装置と所望の測定装置とを接続する作業を簡易に実施可能な測定装置および表示装置を提供することを目的とする。
【課題を解決するための手段】
【０００７】
開示の技術の１つの側面は、次のような測定装置によって例示される。本測定装置は、体液中の特定物質の測定結果を表示する表示装置と無線通信を行う。本測定装置は、センサと、送信部と、タッチセンサと、を含む。センサは体内に留置される。送信部は、センサを用いて得られた特定物質に係るデータを送信する。タッチセンサは、ユーザのタッチ操作を検出する。送信部は、さらに、タッチセンサがタッチ操作を検出した場合に前記表示装置宛てに接続要求を送信する。
【発明の効果】
【０００８】
本測定装置は、表示装置と所望の測定装置とを接続する作業を簡易に実施可能である。
【図面の簡単な説明】
【０００９】
【図１】図１は、第１実施形態に係る測定システムの構成の一例を示す図である。
【図２】図２は、第１実施形態に係る測定装置の構成の一例を示す図である。
【図３】図３は、第１実施形態に係る表示装置の構成の一例を示す図である。
【図４】図４は、ディスプレイにペアリングを促すメッセージが表示された表示装置の一例を示す図である。
【図５】図５は、第１実施形態に係る検出装置の外観の一例を示す図である。
【図６】図６は、第１実施形態に係る検出装置の構成の一例を示す図である。
【図７】図７は、第１実施形態に係るペアリングの処理フローの一例を示す図である。
【図８】図８は、第１変形例に係る表示装置の構成の一例を示す図である。
【図９】図９は、第１変形例に係るペアリングの処理フローの一例を示す図である。
【図１０】図１０は、測定装置を示す情報をディスプレイに表示した表示装置の一例を示す図である。
【図１１】図１１は、第２変形例に係るペアリングの処理フローの一例を示す図である。
【図１２】図１２は、検出装置と紐づける測定装置のペアリングを促すメッセージが表示された表示装置の一例を示す図である。
【図１３】図１３は、測定装置の識別情報と検出装置の識別情報とを関連付けたテーブルの一例を示す図である。
【図１４】図１４は、第２実施形態に係る測定システムの構成図である。
【図１５】図１５は、第２実施形態に係る投与装置のブロック構成図である。
【図１６】図１６は、第２実施形態に係るペアリングの処理フローの一例を示す図である。
【図１７】図１７は、測定装置の識別情報と投与装置の識別情報とを関連付けたテーブルの一例を示す図である。
【発明を実施するための形態】
【００１０】
以下、本発明の実施形態について図面を参照して説明する。以下の実施形態は例示であり、本発明は以下の実施形態の構成に限定されない。
【００１１】
＜第１実施形態＞
図１は、第１実施形態に係る測定システムの構成の一例を示す図である。図１に例示される測定システムは、複数の測定装置１ａ、１ｂ、１ｃ、表示装置２および検出装置３を備える。測定装置１ａ、１ｂ、１ｃを総称して、測定装置１と称する。測定装置１は、人体や動物の体内における体液中の特定物質（測定対象物質）の濃度を連続的に測定する装置である。測定装置１は、被測定者の腹部や肩等の部位に装着して使用することが可能である。測定装置１は、持続グルコース測定（ＣＧＭ：Continuous Glucose Monitoring）
を行うためのＣＧＭ装置であってもよい。体内における体液として、例えば、間質液等の体液がある。特定物質として、例えば、間質液に含まれるグルコースがある。特定物質は、グルコース以外の物質であってもよい。測定装置１ａ、１ｂ、１ｃは、互いに異なる被測定者を対象に測定を行う。
【００１２】
表示装置２と測定装置１との間および表示装置２と検出装置３との間では、電波や赤外線等を利用した無線通信によって通信が行われる。第１実施形態に係る無線通信では、互いに通信を行う装置を接続する設定が行われる。このような設定をペアリングとも称する。また、接続を確立することをペアリングを確立するとも称する。ペアリングが確立された装置間では、データの送受信が可能となる。無線通信の通信方式は、例えば、Bluetooth（登録商標）である。ペアリングの確立は、例えば、Link Manager Protocol（ＬＭＰ）にしたがって行われる。なお、検出装置３は、通信ケーブル等を介した有線通信によって表示装置２との間でデータ通信を行ってもよい。
【００１３】
検出装置３は、体内から採取した体液中の特定物質の濃度を測定する装置である。体内から採取した体液として、例えば、血液等の体液がある。検出装置３は、血糖自己測定（ＳＭＢＧ：Self-Monitoring of Blood Glucose）を行うためのＳＭＢＧ装置であってもよい。検出装置３は、血液中のグルコース濃度に応じた電流値を測定する。また、検出装置
３は、検量線データを参照して電流値を血液中のグルコース濃度値に変換することにより、血液中のグルコース濃度値を測定する。検出装置３によって測定された電流値および血液中のグルコース濃度値は、表示装置２に送られ、表示装置２に入力される。また、検出装置３は、検出装置３に設けられたディスプレイに血液中のグルコース濃度値を表示してもよい。被測定者または被測定者の検査を実施する医師等は、検出装置３のディスプレイに表示された血液中のグルコース濃度値を、表示装置２に入力してもよい。
【００１４】
〈測定装置１〉
測定装置１は、被測定者の皮下に留置させて使用するセンサ１０を備える。測定装置１は、粘着テープ等によって被測定者の皮膚に貼り付けられ、あるいはベルト等に取り付けられることで、被測定者に装着される。センサ１０は、電気化学的反応を利用して試料中の特定成分を検出する電気化学センサである。例えば数日〜数週間程度の連続測定期間に亘ってセンサ１０を皮下に留置させ、測定装置１が連続的に間質液中のグルコース濃度を測定する。「連続的」の意味は、センサ１０を皮下に留置させた状態で、測定装置１が継続的にグルコース濃度を測定することを意味し、測定装置１が所定時間毎にグルコース濃度を測定する態様が含まれる。測定装置１に対してグルコース濃度の測定頻度を任意に設定することができる。例えば、測定装置１が数十秒〜数分間に一回の頻度でグルコース濃度を測定するように、測定装置１に対してグルコース濃度の測定頻度を設定してもよい。
【００１５】
図２は、第１実施形態に係る測定装置１の構成の一例を示す図である。測定装置１は、表示装置２に各種のデータを送るトランスミッターである。測定装置１は、センサ部１１、測定部１２、制御部（演算部）１３、記憶部１４、送信部１５ａ、受信部１５ｂ、アンテナ１６および検知部１７を備える。センサ部１１は、グルコースオキシダーゼ（ＧＯＤ）、グルコースデヒドロゲナーゼ（ＧＤＨ）等のグルコース酸化還元酵素、作用極や対極、参照極等の複数の電極を有する。センサ部１１は、図１に示すセンサ１０の先端側に設けられている。センサ部１１は、配線１８を介して測定部１２に電気的に接続されている。
【００１６】
測定部１２は、センサ部１１に電圧を印加し、信号値（例えば、応答電流値）を測定する回路である。センサ部１１の電極間（作用極と対極との間、または作用極と参照極との間）に電圧が印加されると、センサ部１１は、体液中のグルコースの濃度に応じた応答電流値を出力する。測定部１２は、センサ部１１の電極間に印加する電圧を制御して、センサ部１１から出力された応答電流値を測定する。センサ部１１の電極間に電圧が印加されると、酸化還元酵素によって体液中のグルコースが酸化され、これによって取り出された電子が作用極に供給される。測定部１２は、作用極に供給された電子の電荷量を応答電流値として測定する。また、測定部１２は、応答電流値を応答電圧値に換算し、作用極に供給された電子の電荷量を応答電圧値として測定してもよい。以下では、測定部１２が、応答電流値を測定した場合について説明する。測定部１２は、測定した応答電流値を制御部１３に送る。応答電流値、応答電圧値は、「前記特定物質に係るデータ」の一例である。
【００１７】
制御部１３は、測定部１２、記憶部１４、送信部１５ａ、受信部１５ｂおよび検知部１７を制御する。制御部１３、記憶部１４、送信部１５ａおよび受信部１５ｂは、測定装置１に設けられたＣＰＵ（Central Processing Unit）、ＲＡＭ（Random Access Memory）
およびＲＯＭ（Read Only Memory）等を含むコンピュータ、各装置およびコンピュータ上で実行されるプログラム等によって実現することができる。ＣＰＵは、プロセッサとも呼ばれる。ＣＰＵは、単一のプロセッサに限定される訳ではなく、マルチプロセッサ構成であってもよい。
【００１８】
制御部１３は、応答電流値を記憶部１４に記憶すると共に、応答電流値を送信部１５ａに送る。送信部１５ａは、アンテナ１６を介して応答電流値を表示装置２に送る。送信部
１５ａは、応答電流値を制御部１３から受け取ってもよいし、記憶部１４から応答電流値を取得してもよい。受信部１５ｂは、表示装置２からの各種データをアンテナ１６を介して受信し、制御部１３に通知する。
【００１９】
検知部１７は、被測定者や医師等によって例示されるユーザによるタッチ操作を検出するセンサーである。タッチ操作は、例えば、ユーザが測定装置１を指等でたたくタップ操作、測定装置１上で指等を掃くように動かすスワイプ操作である。検知部１７がタッチ操作を検出する方式には特に限定は無い。検知部１７は、例えば、接触式のタッチパネルであってもよい。タッチパネルがタッチ操作を検出する方式は、例えば、静電容量方式、圧電方式、抵抗膜方式、表面弾性波方式等を挙げることができる。また、検知部１７は加速度センサであり、タッチ操作が行われた際に測定装置１に生ずる加速度を検知することで、タッチ操作を検知してもよい。また、検知部１７は座標センサであり、タッチ操作によって測定装置１に外力が加えられた箇所の座標を検知することで、タッチ操作を検知してもよい。検知部１７はタッチ操作を検知すると、タッチ操作を検知した旨を送信部１５ａに通知する。検知部１７は、例えば、送信部１５ａへパルス波を送信することで、タッチ操作を検知した旨を通知する。検知部１７は、「タッチセンサ」の一例である。
【００２０】
送信部１５ａは、制御部１３から受信した応答電流値を表示装置２に送信する。さらに、送信部１５ａは、検知部１７によるタッチ操作の検知を契機として、アンテナ１６を介してペアリングの確立を要求する接続要求を表示装置２に送信する。接続要求は、例えば、測定装置１の識別情報を含む。測定装置１の識別情報は、例えば、測定装置１のBluetooth（登録商標） device address（ＢＤアドレス）である。
【００２１】
〈表示装置２〉
図３は、第１実施形態に係る表示装置２の構成の一例を示す図である。表示装置２は、測定装置１から各種のデータを受信し、表示する。表示装置２は、制御部（演算部）２１、記憶部２２、送信部２３ａ、受信部２３ｂ、アンテナ２４、表示部２５および操作部２６を備える。制御部２１は、記憶部２２、送信部２３ａ、受信部２３ｂ、表示部２５および操作部２６を制御する。制御部２１、記憶部２２、送信部２３ａおよび受信部２３ｂは、表示装置２に設けられたＣＰＵ、ＲＡＭおよびＲＯＭ等を含むコンピュータ、各装置およびコンピュータ上で実行されるプログラム等によって実現することができる。
【００２２】
表示部２５は、ディスプレイを有し、ディスプレイに各種の情報およびメッセージを表示する。表示部２５には、例えば、測定装置１とのペアリングを促すメッセージが表示される。また、表示部２５は、ディスプレイに測定結果やエラーを表示するとともに、設定時における操作手順や操作状況等を表示する。表示部２５のディスプレイは、例えば、液晶表示装置、プラズマディスプレイパネル、Cathode Ray Tube（ＣＲＴ）またはエレクトロルミネッセンスパネル等である。操作部２６は、各種の操作ボタン、タッチパネル等を有し、ユーザによる操作を受け付ける。
【００２３】
制御部２１は、アンテナ２４および受信部２３ｂを介して測定装置１または検出装置３からの接続要求を受信する。制御部２１は、接続要求の送信元である測定装置１または検出装置３とのペアリングを確立する。ペアリングを確立する際に、接続要求に含まれる識別情報を記憶部２２に記憶してもよい。制御部２１は、ペアリングを確立した測定装置１または検出装置３からのデータを受け付ける。制御部２１は、受信した応答電流値を記憶部２２に記憶する。記憶部２２には、応答電流値と、間質液中のグルコース濃度との対応関係を示す検量線データが記憶されている。検量線データは、例えば、応答電流値からグルコース濃度値を算出する数式や応答電流値とグルコース濃度値との対応関係を示す対応テーブルとして、記憶部２２に記憶されている。制御部２１は、記憶部２２に記憶されている検量線データを参照して、応答電流値をグルコース濃度値に変換する。制御部２１は
、応答電流値に基づいて間質液中のグルコース濃度値を算出する算出部として機能する。また、制御部２１は、受け付けたデータを表示部２５に出力する。制御部２１は、ペアリングを確立した測定装置１または検出装置３であるか否かを、例えば、データを送信した測定装置１または検出装置３の識別情報と一致する識別情報が記憶部２２に記憶されているか否かによって判定してもよい。
【００２４】
送信部２３ａは、アンテナ２４を介して各種データを送信する。送信部２３ａは、例えば、測定装置１に対して接続要求を送信する。接続要求は、例えば、表示装置２の識別情報を含む。表示装置２の識別情報は、例えば、表示装置２のＢＤアドレスである。
【００２５】
受信部２３ｂは、アンテナ２４を介して各種データを受信する。受信部２３ｂは、例えば、測定装置１または検出装置３からの接続要求を受信すると、受信した接続要求を制御部２１に送る。受信部２３ｂは、さらに、測定装置１から応答電流値を受信すると、受信した応答電流値を制御部２１に送る。
【００２６】
受信部２３ｂは、アンテナ２４を介して検出装置３から血液中のグルコースに関する基準値（以下、基準値と表記する）を受信し、基準値を制御部２１に送る。制御部２１は、ペアリングを確立した検出装置３から受信した基準値を記憶部２２に記憶する。制御部２１は、基準値を用いて、間質液中のグルコース濃度値を補正する。血液中のグルコース濃度値と間質液中のグルコース濃度値とは一致しない。そのため、制御部２１は、基準値を用いて、間質液中のグルコース濃度値を補正することにより、間質液中のグルコース濃度値を血液中のグルコース濃度値に近似させる処理を行う。基準値は、「補正用データ」の一例である。
【００２７】
グルコース基準値は、例えば、検出装置３によって測定された電流値または検出装置３によって測定された血液中のグルコース濃度値である。制御部２１は、応答電流値に基づいて間質液中のグルコース濃度値を算出し、検出装置３によって測定された血液中のグルコース濃度値を参照して間質液中のグルコース濃度値を補正してもよい。また、制御部２１は、検出装置３によって測定された電流値を参照して応答電流値を補正し、補正後の応答電流値に基づいて間質液中のグルコース濃度値を算出してもよい。
【００２８】
制御部２１は、例えば、操作部２６に対する操作に応じて、測定装置１とのペアリングの確立を促すメッセージを表示部２５に表示させる。図４は、ディスプレイにペアリングを促すメッセージが表示された表示装置２の一例を示す図である。制御部２１は、ペアリングを促すメッセージをディスプレイに表示すると、接続要求を受け付ける待ち受け状態に移行する。待ち受け状態に移行した制御部２１は、受信部２３ｂを介して測定装置１からの接続要求を受信すると、当該接続要求の送信元である測定装置１とのペアリングを確立する。制御部２１は、例えば、ペアリングを確立する際に、接続要求に含まれる識別情報を記憶部２２に記憶してもよい。受信部２３ｂは、ペアリングを確立した測定装置１から送信された応答電流値を制御部２１に送る。待ち受け状態が継続する時間は、適宜決定されればよい。なお、待ち受け状態に移行していない制御部２１は、受信部２３ｂを介して受信した接続要求を破棄する。
【００２９】
〈検出装置３〉
図５は、第１実施形態に係る検出装置３の外観の一例を示す図である。検出装置３は、バイオセンサ３０を用いて電気化学的手法により血液中のグルコース濃度の測定を行う。検出装置３は、筐体３１、複数の操作ボタン３２、表示パネル３３およびセンサ挿入口３４を備えている。
【００３０】
図５に示すように、筐体３１には、操作ボタン３２および表示パネル３３が設けられて
いる。操作ボタン３２は、各種の設定（測定条件の設定やユーザのＩＤ入力など）や、測定の開始、終了等の動作を行うために使用される。操作ボタン３２は、接触式のタッチパネルであってもよい。表示パネル３３は、測定結果やエラーを表示するとともに、設定時における操作手順や操作状況等を表示する。表示パネル３３は、例えば、液晶表示装置、プラズマディスプレイパネル、ＣＲＴまたはエレクトロルミネッセンスパネル等である。表示パネル３３に接触式のタッチパネルが重畳して配置されることで、操作ボタン３２と表示パネル３３とが一体となっていてもよい。
【００３１】
バイオセンサ３０は、基板、基板に設けられた作用極や対極、参照極等の複数の電極およびグルコース酸化還元酵素を備える。バイオセンサ３０の内部にはキャピラリが形成されている。バイオセンサ３０のキャピラリには試薬層が設けられており、バイオセンサ３０のキャピラリには血液が保持される。センサ挿入口３４にバイオセンサ３０が挿入される。検出装置３は、バイオセンサ３０に電圧を印加し、信号値（例えば、電流値）を測定する。バイオセンサ３０の電極間に電圧が印加されると、バイオセンサ３０は、血液中のグルコースの濃度に応じた応答電流値を出力する。
【００３２】
検出装置３は、バイオセンサ３０の電極間に印加する電圧を制御して、バイオセンサ３０から出力された応答電流値を測定する。バイオセンサ３０の電極間に電圧が印加されると、グルコース酸化還元酵素によって血液中のグルコースが酸化され、これによって取り出された電子が作用極に供給される。検出装置３は、作用極に供給された電子の電荷量を応答電流値として測定する。また、検出装置３は、応答電流値を電圧値に換算し、作用極に供給された電子の電荷量を応答電圧値として測定してもよい。第１実施形態では、検出装置３が、応答電流値を測定した場合について説明する。
【００３３】
図６は、第１実施形態に係る検出装置３の構成の一例を示す図である。図６において、図２に例示される測定装置１の構成と同一の構成については同一の符号を付し、その説明を省略する。センサ部３７は、図５に例示されるバイオセンサ３０である。記憶部３８は、応答電流値と血液中のグルコース濃度との対応関係を示す検量線データが記憶されている点で、図２に例示される記憶部２２と異なる。測定部３９は、センサ挿入口３４に挿入されたバイオセンサ３０のキャピラリに保持された血液中のグルコースの濃度を測定する。測定部３９がグルコース濃度を測定する方法は、記憶部３８に記憶された検量線データを参照する点を除いて、図２に例示される測定部１２による方法と同様である。検知部３６は、操作ボタン３２の押下を検知する。送信部３５は、例えば、検知部３６による操作ボタン３２押下の検知を契機として、アンテナ１６を介してペアリングを要求する接続要求を表示装置２に送信する。接続要求は、例えば、検出装置３の識別情報を含む。検出装置３の識別情報は、例えば、検出装置３のシリアル番号である。シリアル番号は、例えば、記憶部３８に格納される。そのため、制御部１３が識別情報としてシリアル番号を記憶部３８から読み出し、送信部３５は制御部１３によって読み出されたシリアル番号を接続要求に含めることができる。送信部３５は、ペアリングが確立した表示装置２に対して、測定部３９によって測定されたグルコース濃度を示す応答電流値を送信する。検出装置３から送信された応答電流値は、表示装置２において基準値として用いられる。検出装置３は、「送信元装置」の一例である。検出装置３から送信された応答電流値は、「補正用データ」の一例である。
【００３４】
＜ペアリングの処理フロー＞
図７は、第１実施形態に係るペアリングの処理フローの一例を示す図である。図７では、表示装置２と測定装置１とのペアリングが例示される。以下、図７を参照して、第１実施形態に係るペアリングの処理フローの一例について説明する。
【００３５】
ＯＰ１では、表示装置２の制御部２１は、例えば、操作部２６に対する操作に応じて、
ディスプレイにペアリングを促すメッセージを表示させるとともに、接続要求を受け付ける待ち受け状態に移行する。ディスプレイに表示されるメッセージは、例えば、図４に例示されるものである。
【００３６】
ＯＰ２では、測定装置１の検知部１７はユーザによるタッチ操作を検知する。ＯＰ３では、送信部１５ａは、ＯＰ２で検知部１７によってタッチ操作が検知されると、アンテナ１６を介して表示装置２に対してペアリングを要求する接続要求を表示装置２に送信する。ＯＰ３の処理は、「前記タッチセンサが前記タッチ操作を検出した場合に前記表示装置宛てに接続要求を送信」する処理の一例である。
【００３７】
ＯＰ４では、表示装置２の受信部２３ｂは、測定装置１が送信した接続要求をアンテナ２４を介して受信する。受信部２３ｂは、受信した接続要求を制御部２１に送る。制御部２１は、接続要求の送信元である測定装置１とのペアリングを確立する。ペアリングが確立されると、表示装置２は、ペアリングが確立された測定装置１からの測定結果を継続的に受信できる。
【００３８】
ＯＰ１からＯＰ４の処理が繰り返し実行されることで、表示装置２は複数の測定装置１とのペアリングを確立できる。表示装置２では、ペアリングを確立した測定装置１から応答電流値を受信すると、制御部２１は記憶部２２に記憶されている検量線データを参照して、受信した応答電流値をグルコース濃度値に変換する。制御部２１は、応答電流値から変換したグルコース濃度値を表示部２５のディスプレイに表示する。
【００３９】
第１実施形態では、測定装置１は、タッチ操作を検知すると、接続要求を送信する（図７のＯＰ２、ＯＰ３）。表示装置２は、待ち受け状態において接続要求を受信すると、接続要求の送信元の測定装置１とのペアリングを確立する（図７のＯＰ４）。第１実施形態によれば、測定装置１をタッチする簡易な操作で測定装置１と表示装置２とのペアリングを確立できる。また、ペアリングを確立させる対象の測定装置１をタッチするため、測定装置１の取り違えが抑制される。さらに、測定装置１と表示装置２とのペアリングの確立は無線通信によって行われるため、測定装置１と表示装置２とを接近または接触させなくともよい。そのため、例えば、測定装置１を装着した被測定者が睡眠中であっても、容易に測定装置１と表示装置２とのペアリングを確立できる。
【００４０】
第１実施形態では、待ち受け状態に移行していない表示装置２は、受信した接続要求を破棄する。そのため、第１実施形態によれば、測定装置１と予期しない表示装置２とのペアリングの確立が抑制される。
【００４１】
ペアリングが確立されると、測定装置１は、測定結果を継続的に表示装置２に送信できる。そのため、第１実施形態によれば、測定装置１は、測定結果をリアルタイムで表示装置２に送信できる。
【００４２】
＜第１変形例＞
第１実施形態では、測定装置１から送信された接続要求を契機として測定装置１と表示装置２とのペアリングが確立される。第１変形例では、表示装置から送信された接続要求を契機として測定装置１と表示装置２とのペアリングが確立される。以下、図面を参照して、第１変形例について説明する。
【００４３】
図８は、第１変形例に係る表示装置２ａの構成の一例を示す図である。表示装置２ａは、操作部２６に検知部２６ａが含まれる点で第１実施形態に係る表示装置２と異なる。検知部２６ａは、ユーザによるタッチ操作を検出するセンサーであり、測定装置１の検知部１７と同様に、様々な方式のセンサーを採用可能である。検知部２６ａによってタッチ操
作が検知されると、タッチ操作が行われた位置を示す座標値が制御部２１に送信される。第１変形例に係る表示装置２ａでは、検知部２６ａは、表示部２５のディスプレイと重畳して配置される。検知部２６ａがディスプレイと重畳して配置されることで、検知部２６ａは、例えば、ディスプレイに表示されたアイコンへのタッチ操作を検知できる。検知部２６ａは、「タッチセンサ」の一例である。
【００４４】
図９は、第１変形例に係るペアリングの処理フローの一例を示す図である。以下、図９を参照して、第１変形例に係るペアリングの処理フローの一例について説明する。
【００４５】
ＯＰ１１では、表示装置２ａの制御部２１は、表示装置２ａの周囲に存在する測定装置１を探索する探索コマンドを送信する。探索コマンドは、例えば、Bluetooth（登録商標
）のdevice inquiryコマンドである。探索コマンドを受信すると、測定装置１の制御部１３は測定装置１の識別情報を送信する。ＯＰ１２では、表示装置２ａは、ＯＰ１１の探索によって受信した識別情報の測定装置１を示す情報を表示部２５のディスプレイに表示する。図１０は、測定装置１を示す情報をディスプレイに表示した表示装置２ａの一例を示す図である。図１０では、探索コマンドによって探索された３台の測定装置１を示す情報がディスプレイに表示されている。図１０では、測定装置１を示す情報として、測定装置１のアイコン２５ａおよび測定装置１の識別情報２５ｂが例示されている。
【００４６】
ＯＰ１３では、表示装置２ａの検知部２６ａは、ユーザによるアイコン２５ａへのタッチ操作を検知する。タッチ操作を検知した検知部２６ａは、タッチ操作を検知した位置を示す座標情報を制御部２１に通知する。制御部２１は、通知された座標情報を基に、どのアイコン２５ａに対してタッチ操作が行われたかを判定する。制御部２１は、タッチ操作されたアイコン２５ａによって示される測定装置１に対して接続要求を送信する。ＯＰ１３の処理によって、表示装置２ａと選択された測定装置１とのペアリングが確立される。ＯＰ１３の処理は、「前記接続対象の測定装置へ接続要求を送信する処理」の一例である。
【００４７】
第１変形例では、測定装置１が複数である場合に、複数の測定装置１それぞれを示す情報の一覧が表示装置２ａの表示部２５のディスプレイに表示された。表示装置２ａの制御部２１は、表示された一覧から選択された測定装置１と表示装置２ａとのペアリングが確立された。そのため、第１実施形態によれば、測定装置１が複数である場合であっても、選択した測定装置１と表示装置２ａとのペアリングの確立が容易である。
【００４８】
＜第２変形例＞
第１実施形態および第１変形例では、測定装置１と表示装置２とのペアリングが確立された。第２変形例では、さらに検出装置３と表示装置２との間でもペアリングが確立される。以下、図面を参照して、第２変形例について説明する。
【００４９】
図１１は、第２変形例に係るペアリングの処理フローの一例を示す図である。図７と同一の処理については同一の符号を付し、その説明を省略する。以下、図１１を参照して、第２変形例に係るペアリングの処理フローの一例について説明する。
【００５０】
ＯＰ２１では、表示装置２の制御部２１は、ディスプレイに検出装置３とのペアリングを促すメッセージを表示させるとともに、接続要求を受け付ける待ち受け状態に移行する。ディスプレイに表示されるメッセージは、例えば、図４に例示されるメッセージにおいて「測定装置」を「検出装置」に置き換えたものである。
【００５１】
ＯＰ２２では、検出装置３の検知部３６は、操作ボタン３２の押下を検知する。ＯＰ２３では、検出装置３の送信部３５は、ＯＰ２２での操作ボタン３２押下の検知を契機とし
て、アンテナ１６を介してペアリングを要求する接続要求を表示装置２に送信する。
【００５２】
ＯＰ２４は、表示装置２の受信部２３ｂは、アンテナ２４を介して検出装置３からの接続要求を受信する。受信部２３ｂは、受信した接続要求を制御部２１に送る。制御部２１は、接続要求の送信元である検出装置３とのペアリングを確立する。制御部２１は、例えば、ペアリングを確立する際に、接続要求に含まれる識別情報を記憶部２２に記憶する。
【００５３】
ＯＰ２５では、制御部２１は、ペアリングを確立した検出装置３と紐づける測定装置１のペアリングを促すメッセージをディスプレイに表示する。図１２は、検出装置３と紐づける測定装置１のペアリングを促すメッセージが表示された表示装置２の一例を示す図である。表示装置２のディスプレイには、ＯＰ２４でペアリングが確立された検出装置３のシリアル番号が表示されている。ＯＰ２およびＯＰ３の処理は、図７のＯＰ２およびＯＰ３の処理と同様である。そのため、その説明を省略する。
【００５４】
ＯＰ２６では、表示装置２の受信部２３ｂは、アンテナ２４を介して測定装置１から接続要求を受信する。受信部２３ｂは、受信した接続要求を制御部２１に送る。制御部２１は、接続要求の送信元である測定装置１とのペアリングを確立する。制御部２１は、受信した接続要求から識別情報を抽出する。制御部２１は、抽出した識別情報によって識別される測定装置１とＯＰ２４でペアリングを確立した検出装置３とを紐づける。紐づけは、例えば、測定装置１の識別情報と検出装置３の識別情報とを関連付けて記憶部２２に記憶させることで行われる。図１３は、測定装置１の識別情報と検出装置３の識別情報とを関連付けたテーブルの一例を示す図である。図１３では、測定装置１の識別情報として「nnnn1」、識別情報「nnnn1」の測定装置１と関連付けられた検出装置３の識別情報として「aaaa1」が例示されている。表示装置２は、例えば、図１３に例示されるテーブルによっ
て、測定装置１と検出装置３とを紐づけることができる。ＯＰ２６の処理は、「前記接続対象の測定装置との接続が確立した場合に、前記接続対象の測定装置から受信されるデータの補正用データの送信元装置と前記接続対象の測定装置とを関連付けて前記記憶部に記憶する処理」の一例である。また、ＯＰ２６の処理は、「前記測定装置との接続が確立した場合に、前記測定装置と前記測定装置から受信されるデータの補正用データの送信元装置とを関連付けて前記記憶部に記憶させる処理」の一例である。
【００５５】
第２変形例では、表示装置２は、測定装置１と当該測定装置１から送信される応答電流値の補正に用いられる基準値を送信する検出装置３とを関連付けることができる。そのため、第２変形例によれば、測定装置１から送信される応答電流値を当該測定装置１に関連付けられた検出装置３からの基準値を用いて補正できる。すなわち、第２変形例によれば、測定装置１からの応答電流値の補正に用いられる基準値を送信する検出装置３の取り違えが抑制される。なお、第２変形例では、検出装置３と表示装置２とのペアリングが確立されてから、測定装置１と表示装置２とのペアリングが確立された。しかしながら、ペアリングを確立する順番はこの順番に限定されない。例えば、測定装置１と表示装置２とのペアリングが確立されてから、検出装置３と表示装置２とのペアリングが確立されてもよい。
【００５６】
なお、第２変形例においては、ＯＰ２１からＯＰ２４の処理で表示装置２と検出装置３とのペアリングを確立してからＯＰ２５からＯＰ２６の処理でさらに測定装置１がペアリングされたが、この順番は入れ替えてもよい。例えば、まず、ＯＰ２５からＯＰ２６の処理によって表示装置２と測定装置１とをペアリングしてから、ＯＰ２１からＯＰ２４の処理によって検出装置３をさらにペアリングしてもよい。
【００５７】
＜第２実施形態＞
第２実施形態について説明する。以下では、第１実施形態と第２実施形態との相違点に
ついて説明し、第２実施形態における第１実施形態と同一の構成要素については、第１実施形態と同一の符号を付し、その説明を省略する。
【００５８】
図１４は、第２実施形態に係る測定システムの構成図である。図１４に示す測定システムは、測定装置１、表示装置２、検出装置３および投与装置４を備える。第２実施形態に係る測定装置１、表示装置２および検出装置３は、第１実施形態と同様である。投与装置４は、薬剤を体内に連続的（持続的）または間欠的に供給する薬剤供給装置である。投与装置４は、ユーザの腹部、上腕部、臀部等の部位に装着して使用することが可能である。投与装置４は、パッチ（貼り付け）式またはチューブ式の何れであってもよい。薬剤は、インスリンおよびグルカゴンを含む。投与装置４は、無線により表示装置２との間でデータ通信を行うと共に、無線により検出装置３との間でデータ通信を行う。また、投与装置４は、有線により表示装置２との間でデータ通信を行ってもよいし、有線により検出装置３との間でデータ通信を行ってもよい。
【００５９】
〈投与装置〉
投与装置４は、ユーザの皮下に植え込んで使用するカニューレ（挿入部）４１を備える。投与装置４は、粘着テープ等によってユーザの皮膚に貼り付けられ、あるいは衣服やベルト等に取り付けられることで、ユーザに装着される。図１５は、第２実施形態に係る投与装置４のブロック構成図である。投与装置４は、カニューレ４１、収容部４２、ポンプ４３、制御部（演算部）４４、記憶部４５、通信部４６、アンテナ４７および検知部４８を備える。カニューレ４１は、ポンプ４３に接続されている。収容部４２は、複数種類の薬剤を収容してもよい。また、複数の収容部４２を、投与装置４に設けてもよい。例えば、複数の収容部４２のうちの一つがインスリンを収容し、複数の収容部４２のうちの一つがグルカゴンを収容してもよい。
【００６０】
ポンプ４３は、例えば、不図示のモーターにより駆動する。ポンプ４３が駆動し、収容部４２内の薬剤がカニューレ４１に送出されることにより、体内に薬剤が投与される。複数のポンプ４３を、投与装置４に設けてもよい。例えば、複数のポンプ４３のうちの一つがインスリンポンプであり、複数のポンプ４３のうちの一つがグルカゴンポンプであってもよい。制御部４４は、ポンプ４３、記憶部４５および通信部４６を制御する。制御部４４は、通信部４６およびアンテナ４７を介して表示装置２および検出装置３から各種のデータを受信する。制御部４４は、通信部４６およびアンテナ４７を介して表示装置２および検出装置３に各種のデータを送信する。制御部４４、記憶部４５および通信部４６は、投与装置４に設けられたＣＰＵ、ＲＡＭおよびＲＯＭ等を含むコンピュータ、各装置およびコンピュータ上で実行されるプログラム等によって実現することができる。
【００６１】
検知部４８は、被測定者や医師等によって例示されるユーザによるタッチ操作を検出するセンサーである。検知部４８がタッチ操作を検出する仕組みは、上記した測定装置１の検知部１７と同様である。通信部４６は、検知部４８によるタッチ操作の検知を契機として、アンテナ４７を介してペアリングを要求する接続要求を表示装置２に送信する。接続要求は、例えば、投与装置４の識別情報を含む。投与装置４の識別情報は、例えば、投与装置４のシリアル番号である。シリアル番号は、例えば、記憶部４５に格納される。そのため、制御部４４が識別情報としてシリアル番号を記憶部４５から読み出し、通信部４６は制御部４４によって読み出されたシリアル番号を接続要求に含めることができる。
【００６２】
制御部４４は、表示装置２から間質液中のグルコース濃度値を取得する。制御部４４は、表示装置２から応答電流値を取得してもよい。応答電流値と間質液中のグルコース濃度値との対応関係を示す検量線データが、記憶部４５に記憶されてもよい。制御部４４は、検量線データを参照して、応答電流値をグルコース濃度値に変換することにより、間質液中のグルコース濃度値を取得してもよい。制御部４４は、表示装置２または検出装置３か
ら血液中のグルコース濃度値を取得する。制御部４４は、表示装置２または検出装置３から電流値を取得してもよい。電流値と血液中のグルコース濃度値との関係を示す検量線データが、記憶部４５に記憶されてもよい。検量線データは、例えば、数式や対応テーブルとして、記憶部４５に記憶されている。制御部４４は、検量線データを参照して電流値を血液中のグルコース濃度値に変換することにより、血液中のグルコース濃度値を取得してもよい。
【００６３】
制御部４４は、間質液中のグルコース濃度値または血液中のグルコース濃度値に基づいて、ポンプ４３を駆動するか否かを決定する。以下では、制御部４４が、間質液中のグルコース濃度値に基づいてポンプ４３を制御する場合について説明する。制御部４４が、血液中のグルコース濃度値に基づいてポンプ４３を制御する場合、以下の説明における“間質液中のグルコース濃度値”を“血液中のグルコース濃度値”に代えることにより、以下の制御と同様の制御が行われる。
【００６４】
制御部４４は、間質液中のグルコース濃度値が所定値以上であるか否かを判定してもよい。制御部４４は、間質液中のグルコース濃度値が所定値以上である場合、薬剤が体内に投与されるようにポンプ４３を制御してもよい。制御部４４は、間質液中のグルコース濃度値が所定値未満であるか否かを判定してもよい。制御部４４は、間質液中のグルコース濃度値が所定値未満である場合、薬剤が体内に投与されるようにポンプ４３を制御してもよい。制御部４４は、間質液中のグルコース濃度値が所定範囲内に収まっているか否かを判定してもよい。制御部４４は、間質液中のグルコース濃度値が所定範囲内に収まっていない場合、薬剤が体内に投与されるようにポンプ４３を制御してもよい。
【００６５】
制御部４４は、間質液中のグルコース濃度値に応じて、薬剤の種類、薬剤の投与量（ユニット／分）を決定する。制御部４４は、間質液中のグルコース濃度値に基づいて、インスリンを投与するかグルカゴンを投与するかを決定してもよい。制御部４４は、決定した薬剤の種類、薬剤の投与量を通信部４６を介して表示装置２に送信してもよい。この場合、表示装置２は、受信した薬剤の種類、薬剤の投与量を表示部２５に表示してもよい。
【００６６】
図１６は、第２実施形態に係るペアリングの処理フローの一例を示す図である。図１６において、図７や図１１と同一の処理については同一の符号を付し、その説明を省略する。以下、図１６を参照して、第２実施形態に係るペアリングの処理フローの一例について説明する。
【００６７】
ＯＰ３１では、表示装置２の受信部２３ｂは、アンテナ２４を介して測定装置１からの接続要求を受信する。受信部２３ｂは、受信した接続要求を制御部２１に送る。制御部２１は、接続要求の送信元である測定装置１とのペアリングを確立する。制御部２１は、例えば、ペアリングを確立する際に、接続要求に含まれる識別情報を記憶部２２に記憶する。
【００６８】
ＯＰ３２では、制御部２１は、ペアリングを確立した測定装置１と紐づける投与装置４のペアリングを促すメッセージをディスプレイに表示する。表示されるメッセージは、例えば、図１２に例示されるメッセージの「測定装置」を「投与装置」に置き換えたものである。
【００６９】
ＯＰ３３では、投与装置４のの検知部４８はユーザによるタッチ操作を検知する。ＯＰ３４では、通信部４６は、ＯＰ３３で検知部４８によってタッチ操作が検知されると、アンテナ１６を介して表示装置２に対してペアリングを要求する接続要求を送信する。
【００７０】
ＯＰ３５では、表示装置２は、アンテナ２４を介して投与装置４から接続要求を受信し
、接続要求の送信元である投与装置４とのペアリングを確立する。制御部２１は、受信した接続要求から識別情報を抽出する。制御部２１は、抽出した識別情報によって識別される投与装置４とＯＰ３１でペアリングを確立した測定装置１とを紐づける。紐づけは、例えば、投与装置４の識別情報と測定装置１の識別情報とを関連付けて記憶部２２に記憶させることで行われる。図１７は、測定装置１の識別情報と投与装置４の識別情報とを関連付けたテーブルの一例を示す図である。図１７では、測定装置１の識別情報として「nnnn1」、識別情報「nnnn1」の測定装置１と関連付けられた投与装置４の識別情報として「bbbb2」が例示されている。表示装置２は、例えば、図１７に例示されるテーブルによって
、投与装置４と測定装置１とを紐づけることができる。
【００７１】
以上で開示した実施形態や変形例はそれぞれ組み合わせる事ができる。例えば、第１変形例と第２変形例とを組み合わせることで、第１変形例における表示装置２と測定装置１とのペアリングの際に、表示装置２が接続要求を測定装置１に対して送信するようにしてもよい。さらに、第２実施形態で投与装置４と測定装置１とが紐づけられた後で、検出装置３のペアリングを実行し、投与装置４、測定装置１および検出装置３が紐付けられてもよい。
【符号の説明】
【００７２】
１・・・測定装置
１０・・・センサ
２・・・表示装置
３・・・検出装置
４・・・投与装置
１１、３１・・・センサ部
１２、３９・・・測定部
１３、２１、４４・・・制御部
１４、２２、３８、４５・・・記憶部
１５ａ、３５・・・送信部
１５ｂ・・・受信部
１７、２６ａ、３６、４８・・・検知部
２３・・・受信部
２５・・・表示部
２６・・・操作部
３０・・・バイオセンサ
３２・・・操作ボタン
３３・・・表示パネル
４１・・・カニューレ
４２・・・収容部
４３・・・ポンプ
４６・・・通信部
【図１】
2019013749.tif 000003
【図２】
2019013749.tif 000004
【図３】
2019013749.tif 000005
【図４】
2019013749.tif 000006
【図５】
2019013749.tif 000007
【図６】
2019013749.tif 000008
【図７】
2019013749.tif 000009
【図８】
2019013749.tif 000010
【図９】
2019013749.tif 000011
【図１０】
2019013749.tif 000012
【図１１】
2019013749.tif 000013
【図１２】
2019013749.tif 000014
【図１３】
2019013749.tif 000015
【図１４】
2019013749.tif 000016
【図１５】
2019013749.tif 000017
【図１６】
2019013749.tif 000018
【図１７】
2019013749.tif 000019